(57)【要約】      （修正有）【課題】紙媒体の図面を効率よく整理し、正確な電子図面データによるデータベースを構築する。【解決手段】紙媒体からなる原本図面を電子化するための図面データ管理装置(10)であり、全ての原本図面を電子図面データに変換するための原本図面電子化手段と、その原本図面電子化手段によって原本図面が電子化される際に、原本図面を管理・特定するための図面特定用データを抽出する図面特定用データ抽出手段と、その図面特定用データを記憶したデータベース(50)と、電子図面データが最新の原本図面であるか否かを、図面特定用データを用いて判別する採用図面判別手段と、その採用図面判別手段によって最新の原本図面でないと判別された場合には、その最新でない電子図面データを削除する電子図面データ削除手段と、を備えた。【選択図】    図１
2008097411.tif 000002
【特許請求の範囲】
【請求項１】
紙媒体からなる原本図面を電子化するための図面データ管理装置であって、
原本図面を電子図面データに変換するための原本図面電子化手段と、
その原本図面電子化手段によって原本図面が電子化される際に、前記原本図面を管理・特定するための図面特定用データを抽出する図面特定用データ抽出手段と、
その図面特定用データを記憶するとともに、前記電子図面データを記憶するデータベースと、
前記電子図面データが最新の原本図面であるか否かを、前記図面特定用データを用いて判別する採用図面判別手段と、
その採用図面判別手段によって最新の原本図面でないと判別された場合には、その最新でない電子図面データを前記データベースから削除する電子図面データ削除手段と、
を備えたことを特徴とする図面データ管理装置。
【請求項２】
前記図面特定用データは、原本図面を管理するための図面番号と、原本図面が作成された年月日を示す作成日データと、原本図面のバージョンを示すための改訂番号と、原本図面の種類を示す図面種別のうち少なくとも１つを備えて構成されていることを特徴とする請求項１記載の図面データ管理装置。
【請求項３】
前記採用図面判別手段は、前記原本図面に記載された作成日付に基づいて判別し、その更新日付が最新のものを採用図面とすることを特徴とする請求項１または請求項２のいずれかに記載の図面データ管理装置。
【請求項４】
前記採用図面判別手段は、原本図面に記載された改訂番号に基づいて判別し、その改訂番号が最新のものを採用図面とすることを特徴とする請求項１または請求項２のいずれかに記載の図面データ管理装置。
【請求項５】
前記採用図面判別手段は、前記原本図面がドラフト状態である所定の図面種別と、完成状態である所定の図面種別との異なる図面種別に基づいて判別し、その図面種別が完成状態であるものを採用図面とすることを特徴とする請求項１または請求項２のいずれかに記載の図面データ管理装置。
【請求項６】
前記データベースとは物理的に離れた位置にある第二データベースを備え、前記採用図面判別手段によって最新の原本図面であると判別された電子図面データを、当該第二データベースに記憶させる最新電子図面データ送信手段を備えたことを特徴とする請求項１から請求項５のいずれかに記載の図面データ管理装置。
【請求項７】
紙媒体からなる原本図面を電子化するための図面データ管理方法であって、
原本図面を電子図面データに変換するための原本図面電子化手順と、
その原本図面電子化手順によって原本図面が電子化される際に、前記原本図面を管理・特定するための図面特定用データを抽出してデータベースに記憶する図面特定用データ抽出手順と、
その図面特定用データを前記データベースに記憶する図面特定用データ記憶手順と、
前記電子図面データが最新の原本図面であるか否かを、前記図面特定用データを用いて判別する採用図面判別手順と、
その採用図面判別手順によって最新の原本図面でないと判別された場合には、その最新でない電子図面データを削除する電子図面データ削除手順と、
を備えたことを特徴とする図面データ管理方法。
【請求項８】
前記図面特定用データは、原本図面を管理するための図面番号と、原本図面が作成された年月日を示す作成日データと、原本図面のバージョンを示すための改訂番号と、原本図面の種類を示す図面種別のうち少なくとも１つを備えて構成されていることを特徴とする請求項７記載の図面データ管理方法。
【請求項９】
前記採用図面判別手順は、前記原本図面に記載された作成日付に基づいて判別し、その更新日付が最新のものを採用図面とすることを特徴とする請求項７または請求項８のいずれかに記載の図面データ管理方法。
【請求項１０】
前記採用図面判別手順は、原本図面に記載された改訂番号に基づいて判別し、その改訂番号が最新のものを採用図面とすることを特徴とする請求項７または請求項８のいずれかに記載の図面データ管理方法。
【請求項１１】
前記採用図面判別手順は、前記原本図面がドラフト状態である所定の図面種別と、完成状態である所定の図面種別との異なる図面種別に基づいて判別し、その図面種別が完成状態であるものを採用図面とすることを特徴とする請求項７または請求項８のいずれかに記載の図面データ管理方法。
【請求項１２】
前記データベースとは物理的に離れた位置にある第二データベースを備え、前記採用図面判別手順によって最新の原本図面であると判別された電子図面データを、当該第二データベースに記憶させる最新電子図面データ送信手順を備えたことを特徴とする請求項７から請求項１１のいずれかに記載の図面データ管理方法。
【請求項１３】
紙媒体からなる原本図面を電子化するための図面データ管理用のプログラムであって、
そのプログラムは、原本図面を電子図面データに変換するための原本図面電子化手順と、
その原本図面電子化手順によって原本図面が電子化される際に、前記原本図面を管理・特定するための図面特定用データを抽出してデータベースに記憶する図面特定用データ抽出手順と、
その図面特定用データを前記データベースに記憶する図面特定用データ記憶手順と、
前記電子図面データが最新の原本図面であるか否かを、前記図面特定用データを用いて判別する採用図面判別手順と、
その採用図面判別手順によって最新の原本図面でないと判別された場合には、その最新でない電子図面データを削除する電子図面データ削除手順と、
を図面データ管理用のコンピュータに実行させることとしたコンピュータプログラム。
【請求項１４】
紙媒体からなる原本図面における最新の原本図面を電子化して管理・保存するための第一データベースと、  その第一データベースとは物理的に離れた位置にある第二データベースを備えた図面データ管理用コンピュータに対する図面データ管理用のプログラムであって、
そのプログラムは、原本図面を電子図面データに変換するための原本図面電子化手順と、
その原本図面電子化手順によって原本図面が電子化される際に、前記原本図面を管理・特定するための図面特定用データを抽出してデータベースに記憶する図面特定用データ抽出手順と、
その図面特定用データを前記データベースに記憶する図面特定用データ記憶手順と、
前記電子図面データが最新の原本図面であるか否かを、前記図面特定用データを用いて判別する採用図面判別手順と、
その採用図面判別手順によって最新の原本図面でないと判別された場合には、その最新でない電子図面データを削除する電子図面データ削除手順と、
その電子図面データ削除手順にて最新の原本図面であるとして前記第一データベースに保存された電子図面データを、前記第二データベースに送信して保存させる電子図面データ送信手順とを図面データ管理用コンピュータに実行させることとしたコンピュータプログラム。
【請求項１５】
前記電子図面データを閲覧するための閲覧専用プログラムを備え、
その閲覧専用プログラムは、大きな画像データでもすばやく軽快に画像移動する可能な移動機能と、
文字、図形の作図とその表示、非表示切り替えが可能な作図操作機能と、
各種の印刷が可能な印刷機能と、
各種の測定が可能な測定機能と、
各種の編集が可能な編集機能と、を前記図面データ管理用コンピュータに実行させるものであることを特徴とする請求項１３または請求項１４に記載のコンピュータプログラム。
【請求項１６】
前記電子図面データを検索するための検索専用プログラムを備え、
その検索専用プログラムは、物理的に離れた場所からファイル登録が可能な登録機能と、
二重修正を防止するデータ編集機能と、
キーワード検索、フォルダ情報検索など各種の検索が可能な検索機能と、
各種の印刷が可能な印刷機能と、を前記図面データ管理用コンピュータに実行させるものであることを特徴とする請求項１３から請求項１５のいずれかに記載のコンピュータプログラム。
【発明の詳細な説明】
【技術分野】
【０００１】
本発明は、図面を登録管理するための技術に関し、特に、最新の図面を適切に判別処理するための情報処理技術に関する。
【背景技術】
【０００２】
特許文献１には、手書き部分が含まれた紙媒体の図面（以下、原本図面と表記する）の図面管理方法が開示されている。この技術は、イメージデータ形式の原図面イメージデータに含まれる標準的図面構成要素を抽出し、抽出された標準的図面構成要素に関して文字列で記述される形式の第１の図面データを作成する。次に、第１の図面データを変換してイメージデータ形式の差分取得用イメージデータを作成する。そして、差分取得用イメージデータと原図面イメージデータとの差分を取って差分イメージデータを作成し、差分イメージデータを基にイメージデータ形式の第２の図面データを作成する。続いて、第１の図面データと第２の図面データを保管図面データとして記憶手段に格納するものである。この技術によれば、手書き部分が含まれた図面でも情報を欠落させることなく、図面全体をイメージデータとして保管する場合に比べて大幅に少ないデータ量で電子化して保管することができる。
【０００３】
【特許文献１】特開２００５−５５９９６号公報
【発明の開示】
【発明が解決しようとする課題】
【０００４】
さて、原本図面は、その作図段階において、同一図面が複数枚存在してしまうという問題があった。これは、ドラフト用として最初に作成したドラフト図面、その後変更点を加えて修正した修正図面、修正が完了した完成図面などの処理を経て図面を完成させていくためである。加えて、その保管段階において、設備を使用する者は、設備の運用部署、設備の補修部署等、複数の部署毎に紙によりファイル等にて個別の原本管理を行っている。ところが、原本管理自体を人的管理で行っているため、頻繁に改訂される図面の差し替え管理が個別に適切に行われているかは不明な状態であることから、どの原本管理ファイルが正しいという断定はできない。そして、最新改訂以前の図面は本来原本図面としては不要であるため、紙で保管されている複数の原本図面を電子化するにあたっては、作成日、改訂番号、図面種別（ドラフト図面や完成図面など）などの違いを目視による確認によって最新図面であるか否かの判別を行い、一元化した上でデータベースに登録する必要がある。
【０００５】
しかしながら、目視で判別すると上述したような、図面判別のための様々な項目（作成日や図面種別など）に対応せねばならず、最新図面の判別を誤るおそれがある。また、原本図面の枚数が何十万枚と膨大なものである場合には、これら全てを人間の目視によって判別することは現実的ではない。
なお、特許文献１に記載された技術では、手書き情報を読み取ることや、データサイズの減少を図ることは可能であるものの、前述の課題を解決するための技術は開示されていない。
【０００６】
本発明が解決しようとする課題は、紙媒体の図面を効率よく整理し、正確な電子図面データによるデータベースを構築可能な技術をあわせて提供することである。
請求項１から請求項６に記載の発明の目的は、紙媒体の図面を効率よく整理し、正確な電子図面データによるデータベースを構築可能な図面データ管理装置を提供することにある。
請求項７から請求項１２に記載の発明の目的は、紙媒体の図面を効率よく整理し、正確な電子図面データによるデータベースを構築可能な図面データ管理方法を提供することにある。
請求項１３から請求項１６に記載の発明の目的は、紙媒体の図面を効率よく整理し、正確な電子図面データによるデータベースを構築可能なコンピュータプログラムを提供することにある。
【課題を解決するための手段】
【０００７】
（請求項１）
請求項１に記載の発明は、紙媒体からなる原本図面を電子化するための図面データ管理装置(10)を提供する。
すなわち、全ての原本図面を電子図面データに変換するための原本図面電子化手段と、  その原本図面電子化手段によって原本図面が電子化される際に、前記原本図面を管理・特定するための図面特定用データを抽出する図面特定用データ抽出手段と、  その図面特定用データを記憶するとともに、前記電子図面データを記憶するデータベース(50)と、  前記電子図面データが最新の原本図面であるか否かを、前記図面特定用データを用いて判別する採用図面判別手段と、  その採用図面判別手段によって最新の原本図面でないと判別された場合には、その最新でない電子図面データを前記データベース(50)から削除する電子図面データ削除手段と、を備えた図面データ管理装置に係る。
【０００８】
（用語説明）
「図面特定用データ」とは、請求項２でも特定するが、原本図面を管理するための図面番号と、原本図面が作成された年月日を示す作成日データと、原本図面のバージョンを示すための改訂番号と、原本図面がドラフト図面または完成図面かを示すための図面種別、等のデータである。
「原本図面電子化手段」とは、紙から図形や写真を読み取って、画像データとしてパソコンに転送するスキャナなどの装置である。スキャナは、読み取る対象の紙などに光を当て、反射光をCCDなどで読み取ってデジタルデータに変換する。また、スキャナの種類としては、原稿を固定して読取装置を動かすフラットベッドスキャナや原稿を固定して読み取り機を手動で動かすハンディスキャナなどがある。
【０００９】
（作用）
まず、全ての原本図面をスキャナなどの原本図面電子化手段がスキャンして読み取り、図面を電子データ化する。ここで電子化された図面は、電子図面データとして一旦データベースに記憶される。原本図面が原本図面電子化手段によって電子化される際に、原本図面を管理・特定するための図面特定用データを抽出する。そして、原本図面電子化手段によって抽出された図面特定用データをデータベースに記憶する。
また、採用図面判別手段がデータベースに記憶した図面特定用データを用いて最新の原本図面であるか否かを判別する。例えば、図面番号が同じである原本図面があるとすると、それら原本図面の作成日データを確認する。一方の原本図面の作成日データが「2006/07/25」、他方の原本図面の作成日データが「2006/07/26」である場合、後者のほうが最新の作成日データであるため、これを電子図面データとして採用する。一方、最新でないと判別された電子図面データは、電子図面データ削除手段によって削除される。
【００１０】
すなわち、紙媒体で管理されていた原本図面は、更新管理などが正確にされていたかどうかは不明であり、また、設備使用者では、複数の原本管理を行っていることが多いため、同じ図面番号の原本図面が、複数存在することが多い。このような場合でも、図面特定用データを用いて電子図面データが最新か否かの判別をして、古い電子図面データを削除していくことで、最新の電子図面データのみをデータベースに保管することができる。これにより、紙媒体の図面を効率よく整理し、正確な電子図面データによるデータベースを構築することができる。
【００１１】
（請求項２）
請求項２に記載の発明は、請求項１記載の図面データ管理装置を限定したものである。
すなわち、前記図面特定用データは、原本図面を管理するための図面番号と、原本図面が作成された年月日を示す作成日データと、原本図面のバージョンを示すための改訂番号と、原本図面の種類を示す図面種別とを備えて構成されていることを特徴とする。
【００１２】
（作用）
請求項２記載の発明では、図面番号、作成日データ、改訂番号、図面種別を図面特定用データとしてデータベースに記憶する。なお、図面特定用データとしては、図面種別毎にカラー分けして判別できるようにしても良い。
【００１３】
（請求項３）
請求項３に記載の発明は、請求項１または請求項２のいずれかに記載の図面データ管理装置を限定したものである。
すなわち、前記採用図面判別手段は、前記原本図面に記載された作成日付に基づいて判別し、その更新日付が最新のものを採用図面とすることを特徴とする。
【００１４】
（作用）
請求項３記載の発明では、原本図面を採用図面とするかの判別スキームとして、更新された日付をもとに判別している。
日付による管理が容易であるとともに、信頼性も高い。
【００１５】
（請求項４）
請求項４に記載の発明は、請求項１から請求項３のいずれかに記載の図面データ管理装置を限定したものである。
すなわち、前記採用図面判別手段は、原本図面に記載された改訂番号に基づいて判別し、その改訂番号が最新のものを採用図面とすることを特徴とする。
【００１６】
（作用）
請求項４記載の発明では、原本図面を採用図面とするかの判別スキームとして、改訂番号をもとに判別している。改訂番号とは、「パイプ図面Rev.1」、「パイプ図面Rev.2」などのことである。
【００１７】
（請求項５）
請求項３に記載の発明は、請求項１または請求項２に記載の図面データ管理装置を限定したものである。
すなわち、前記採用図面判別手段は、前記原本図面がドラフト状態である所定の図面種別と、完成状態である所定の図面種別との異なる図面種別に基づいて判別し、その図面種別が完成状態であるものを採用図面とすることを特徴とする。
【００１８】
（作用）
請求項５記載の発明では、原本図面を採用図面とするかの判別スキームとして、図面種別に基づいて判別している。
【００１９】
（請求項６）
請求項６に記載の発明は、請求項１から請求項５のいずれかに記載の図面データ管理装置を限定したものである。
すなわち、前記データベースとは物理的に離れた位置にある第二データベースを備え、前記採用図面判別手段によって最新の原本図面であると判別された電子図面データを、当該第二データベースに記憶する最新電子図面データ記憶手段を備えたことを特徴とする。
【００２０】
（作用）
請求項６記載の発明では、全ての原本図面や図面特定用データが記憶されたデータベースとは物理的に別媒体となる第二データベースに最新の電子図面データを記憶する。第二データベースは、作業用データや図面特定データなどの他のデータが記憶されたデータベースとは分離されるため頓雑にならない。このように構成すれば、安全性及び可用性の点で好ましい。
【００２１】
（請求項７）
請求項７に記載の発明は、紙媒体からなる原本図面を電子化するための図面データ管理方法を提供する。
すなわち、原本図面を電子図面データに変換するための原本図面電子化手順と、その原本図面電子化手順によって原本図面が電子化される際に、前記原本図面を管理・特定するための図面特定用データを抽出してデータベースに記憶する図面特定用データ抽出手順と、その図面特定用データを前記データベースに記憶する図面特定用データ記憶手順と、
前記電子図面データが最新の原本図面であるか否かを、前記図面特定用データを用いて判別する採用図面判別手順と、その採用図面判別手順によって最新の原本図面でないと判別された場合には、その最新でない電子図面データを削除する電子図面データ削除手順と、を備えた図面データ管理方法に係る。
【００２２】
（請求項８）
請求項８に記載の発明は、請求項７記載の図面データ管理方法を限定したものである。
すなわち、前記図面特定用データは、原本図面を管理するための図面番号と、原本図面が作成された年月日を示す作成日データと、原本図面のバージョンを示すための改訂番号と、原本図面の種類を示す図面種別のうち少なくとも１つを備えて構成されていることを特徴とする。
【００２３】
（請求項９）
請求項９に記載の発明は、請求項７または請求項８のいずれかに記載の図面データ管理方法を限定したものである。
すなわち、前記採用図面判別手順は、前記原本図面に記載された作成日付に基づいて判別し、その更新日付が最新のものを採用図面とすることを特徴とする。
【００２４】
（請求項１０）
請求項１０に記載の発明は、請求項７または請求項８のいずれかに記載の図面データ管理方法を限定したものである。
すなわち、前記採用図面判別手順は、原本図面に記載された改訂番号に基づいて判別し、その改訂番号が最新のものを採用図面とすることを特徴とする。
【００２５】
（請求項１１）
請求項１１に記載の発明は、請求項７または請求項８のいずれかに記載の図面データ管理方法を限定したものである。
すなわち、前記採用図面判別手順は、前記原本図面がドラフト状態である所定の図面種別と、完成状態である所定の図面種別との異なる図面種別に基づいて判別し、その図面種別が完成状態であるものを採用図面とすることを特徴とする。
【００２６】
（請求項１２）
請求項１２に記載の発明は、請求項７から請求項１１のいずれかに記載の図面データ管理方法を限定したものである。
すなわち、前記データベースとは物理的に離れた位置にある第二データベースを備え、前記採用図面判別手順によって最新の原本図面であると判別された電子図面データを、当該第二データベースに記憶させる最新電子図面データ送信手順を備えたことを特徴とする。
【００２７】
（請求項１３）
請求項１３に記載の発明は、紙媒体からなる原本図面を電子化するための図面データ管理用のプログラムに係る。
そのプログラムは、全ての原本図面を電子図面データに変換するための原本図面電子化手順と、  その原本図面電子化手順によって原本図面が電子化される際に、前記原本図面を管理・特定するための図面特定用データを抽出してデータベースに記憶する図面特定用データ抽出手順と、  その図面特定用データを前記データベースに記憶する図面特定用データ記憶手順と、  前記電子図面データが最新の原本図面であるか否かを、前記図面特定用データを用いて判別する採用図面判別手順と、  その採用図面判別手順によって最新の原本図面でないと判別された場合には、その最新でない電子図面データを削除する電子図面データ削除手順と、  を図面データ管理用のコンピュータに実行させることとしたコンピュータプログラムである。
【００２８】
（請求項１４）
請求項１４に記載の発明は、紙媒体からなる原本図面における最新の原本図面を電子化して管理・保存するための第一データベースと、  その第一データベースとは物理的に離れた位置にある第二データベースを備えた図面データ管理用コンピュータに対する図面データ管理用のプログラムに係る。
そのプログラムは、全ての原本図面を電子図面データに変換するための原本図面電子化手順と、  その原本図面電子化手順によって原本図面が電子化される際に、前記原本図面を管理・特定するための図面特定用データを抽出してデータベースに記憶する図面特定用データ抽出手順と、  その図面特定用データを前記データベースに記憶する図面特定用データ記憶手順と、  前記電子図面データが最新の原本図面であるか否かを、前記図面特定用データを用いて判別する採用図面判別手順と、  その採用図面判別手順によって最新の原本図面でないと判別された場合には、その最新でない電子図面データを削除する電子図面データ削除手順と、  その電子図面データ削除手順にて最新の原本図面であるとして前記第一データベースに保存された電子図面データを、前記第二データベースに送信して保存させる電子図面データ送信手順とを図面データ管理用コンピュータに実行させることとしたコンピュータプログラムである。
すなわち、最新の原本図面を第二データベースにバックアップする、あるいは第二データベースにてデータを共有することができる。
【００２９】
（請求項１５）
請求項１５に記載の発明は、請求項１３または請求項１４に記載のコンピュータプログラムにおいて、前記電子図面データを閲覧するための閲覧専用プログラムを備えたものである。
すなわち、その閲覧専用プログラムは、大きな画像データでもすばやく軽快に画像移動する可能な移動機能と、  文字、図形の作図とその表示、非表示切り替えが可能な作図操作機能と、  各種の印刷が可能な印刷機能と、  各種の測定が可能な測定機能と、  各種の編集が可能な編集機能と、を前記図面データ管理用コンピュータに実行させるものであることを特徴とする。
【００３０】
「移動機能」とは、たとえば、前記電子図面データを閲覧するための閲覧専用手段を備え、A0サイズを超える大きな画像データでもすばやく表示し、軽快に画像移動すること可能な機能及びルーペ機能及びパンウィンドウ機能と備えていてもよい。
「作図操作機能」とは、たとえば文字・直線・四角形・多角形・円・楕円・矢印・フリーハンド図形の作図が可能な作図機能、作図した図形についての表示・非表示の切り替えが可能な作図操作機能とを備えていてもよい。
「印刷機能」とは、たとえば、縮小印刷・部分印刷・拡大印刷・用紙サイズ自動あわせ印刷・連続印刷が可能であることが好ましい。
「測定機能」とは、たとえば、四角形・多角形などで指定した範囲の面積測定、直線・ポリラインの距離測定が可能な機能である。
「編集機能」とは、たとえば傾き補正、スケール調整、ゴミ取り、リサイズが可能な機能である。
なお、読み込み可能なファイル形式は、BMP(非圧縮、RLE)、CAL、DCX、EPS、GIF、ICO、IFF、JPG、PCD、PCT、PCX、PSD、TGA、TIF(非圧縮、G3、G3-2D、G4、Huffman、JPEG、LZW、Packbits)、WMF、WPGである。
また、保存可能なファイル形式は、BMP(非圧縮、RLE)、GIF、JPG、TIF(非圧縮、G3、G3-2D、G4、Huffman、JPEG、LZW、Packbits)である。
【００３１】
（請求項１６）
請求項１６に記載の発明は、請求項１３から請求項１５のいずれかに記載のコンピュータプログラムにおいて、前記電子図面データを検索するための検索専用プログラムを備えたものである。
すなわち、その検索専用プログラムは、物理的に離れた場所からファイル登録が可能な登録機能と、  二重修正を防止するデータ編集機能と、  キーワード検索、フォルダ情報検索など各種の検索が可能な検索機能と、  各種の印刷が可能な印刷機能と、を前記図面データ管理用コンピュータに実行させるものであることを特徴とする。
なお、前記閲覧専用プログラムと検索専用プログラムとは、相互に連動して動作可能である。
【００３２】
（第一のバリエーション）
前記採用図面判別手順は、前記原本図面に記載された作成日付に基づいて判別し、その更新日付が最新のものを採用図面とすることもできる。
【００３３】
（第二のバリエーション）
前記採用図面判別手順は、原本図面に記載された改訂番号に基づいて判別し、その改訂番号が最新のものを採用図面とすることもできる。
【００３４】
（第三のバリエーション）
前記採用図面判別手順は、前記原本図面がドラフト状態である所定の図面種別と、完成状態である所定の図面種別との異なる図面種別に基づいて判別し、その図面種別が完成状態であるものを採用図面とすることもできる。
【００３５】
請求項１３から請求項１６のいずれかに記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、この発明に係るプログラムを格納したコンピュータから、通信回線を通じて他の端末装置へ伝送することも可能である。
【発明の効果】
【００３６】
請求項１から請求項６に記載の発明によれば、紙媒体の図面を効率よく整理し、正確な電子図面データによるデータベースを構築可能な図面データ管理装置を提供することができた。
請求項７から請求項１２に記載の発明によれば、紙媒体の図面を効率よく整理し、正確な電子図面データによるデータベースを構築可能な図面データ管理方法を提供することができた。
請求項１３から請求項１６に記載の発明によれば、紙媒体の図面を効率よく整理し、正確な電子図面データによるデータベースを構築可能な図面データ管理装置コンピュータプログラムを提供することができた。
【発明を実施するための最良の形態】
【００３７】
本発明の実施の形態について、図面を参照させながら説明する。ここで使用する図面は、図１から図８である。図１は、図面データ管理装置１０の全体構成を示した概念図であり、図２は、図面データ管理装置１０のハードウェア構成を示したブロック図であり、図３は、原本図面を電子図面データ化するための処理を示したフローチャートであり、図４から図７は、採用図面を決定するための処理を模式的に示した概略図であり、図８は、本発明の第二実施形態の処理を示したフローチャートである。
【００３８】
図１に示すように、図面データ管理装置１０は、紙媒体からなる原本図面を電子化するための装置であり、全ての原本図面を電子図面データに変換するための原本図面電子化手段と、その原本図面電子化手段によって原本図面が電子化される際に、原本図面を管理・特定するための図面特定用データを抽出する図面特定用データ抽出手段と、その図面特定用データを記憶したデータベース５０と、電子図面データが最新の原本図面であるか否かを、図面特定用データを用いて判別する採用図面判別手段と、その採用図面判別手段によって最新の原本図面でないと判別された場合には、その最新でない電子図面データを削除する電子図面データ削除手段とを備えている。
【００３９】
「原本図面電子化手段」とは、紙から図形や写真を読み取って、画像データとしてパソコンに転送するスキャナなどの装置である。スキャナは、読み取る対象の紙などに光を当て、反射光をCCDなどで読み取ってデジタルデータに変換する。また、スキャナの種類としては、原稿を固定して読取装置を動かすフラットベッドスキャナや原稿を固定して読み取り機を手動で動かすハンディスキャナなどがある。
【００４０】
図２は、図面データ管理装置１０のハードウェア構成を示すブロック図である。図面データ管理装置１０は、当該図面データ管理装置１０の全体の制御を行うとともに、各種演算処理を行うＣＰＵ１１、各種データを書き込む際に、それらのデータを一時的に展開するＲＡＭ１２、オペレーティングシステム、アプリケーションソフトおよび各種データが記憶される記憶部１３、マウスやキーボード等の入力部１４、モニタなどの表示部１５、インターネットやイントラネットなどの電気通信回線に接続可能な通信部１６、各種データをプリンタ等に出力可能な出力部１７および各種データの入出力部である入出力ポート１８を備えて構成されている。また、図面データ管理装置１０の外部記憶装置としてデータベース５０に接続されており、相互にデータ送受信が可能となっている。
【００４１】
データベース５０には、図面特定用データが記憶されている。この図面特定用データは、図４から図６に示すように、原本図面を管理するための図面番号と、原本図面が作成された年月日を示す作成日データと、原本図面のバージョンを示すための改訂番号（Rev.1）と、原本図面が計画図（ドラフト状態の図面種別例）または決定図（完成状態の図面種別例）かを示すための図面種別のデータのことである。
【００４２】
また、原本図面電子化手段で読み取った原本図面は、TIFF（Tagged Image File Format）形式でデータベース５０に記憶される。この「TIFF」とは、ビットマップ画像のフォーマットであり、画像の符号化形式の一種である。本実施形態でTIFF形式を採用しているのは、JPEGフォーマットのように非可逆圧縮を行わないため、作業中に画質が劣化せず、色に関する制約がなく、また、複数の図面を閲覧する際にもＰＣに対する負荷が少なく、軽快に動作するからである。ただし、JPEG、GIF及びBMPなどの、他の画像形式であっても良い。
【００４３】
図３は、図面データ管理装置１０における一連の処理を示したフローチャートである。
まず、全ての原本図面を原本図面電子化手段がスキャンして読み取り、図面を電子データ化する（Ｓ１０１）。ここで電子化された図面は、電子図面データとして一旦データベース５０に記憶される。
原本図面が原本図面電子化手段によって電子化される際に、原本図面を管理・特定するための図面特定用データを抽出する（Ｓ１０２）。抽出には、OCR（Optical Character Reader）機能を採用している。OCRとは、手書き文字や印字された文字を光学的に読み取り、前もって記憶されたパターンとの照合により文字を特定し、文字データを入力する装置のことである。なお、本実施形態では、原本図面電子化手段で読み取った原本図面の画像から、図面特定用データとなる文字を識別して文書に変換するOCRソフトを用いている。
【００４４】
原本図面電子化手段によって抽出された図面特定用データをデータベース５０に記憶する（Ｓ１０３）。
そして、採用図面判別手段がデータベース５０に記憶された図面特定用データを用いて最新の原本図面であるか否かを判別する（Ｓ１０４）。判別方法としては、図４に示すように、図面種別で判別する方法がある。この場合には、図面種別が図４（ａ）の『計画図』の図面と、図４（ｂ）の『決定図』の図面とでは、図４（ｂ）の『決定図』を最新の原本図面と判別するように設定している。
【００４５】
また、図５に示すように、改訂番号で判別する場合には、改訂番号が図５（ａ）の『Rev.1』の図面と、図５（ｂ）の『Rev.2』の図面とでは、図５（ｂ）の『Rev.2』を最新の原本図面と判別するように設定している。
さらに、図６に示すように、作成日（更新日付）で判別する場合には、作成日が図６（ａ）の『2006/01/26』の図面と、図６（ｂ）の『2006/01/25』の図面とでは、図７（ａ）の『2006/01/26』を最新の原本図面と判別するように設定している。
【００４６】
なお、この最新図面の判別においては、上述したように図面種別、改訂番号、作成日のうち、いずれか一つを用いて判別するほか、図面種別と改訂番号を用いての判別、図面種別と作成日を用いての判別、改訂番号と作成日を用いての判別、または、図面種別、改訂番号及び作成日の全てを用いて判別することもできる。また、図面種別毎にカラー分けして判別できるようにしても良い。ただし、図面特定用データのいずれか一つまたは二つを用いることは、図面データ管理装置１０の負荷を軽減し、判別処理スピードの向上に寄与する。なお、全く同じ原本図面が複数存在する場合があるが、以上の判別方法では判別できないため、データベースにより付番された番号順等、所定のルールによりいずれか一つを採用図面として判別することとする。
一方、最新でないと判別された電子図面データは、電子図面データ削除手段によってデータベース５０から削除される（Ｓ１０５）。
【００４７】
図７（ａ）は、原本図面電子化手段が複数の原本図面を読み込んでデータベース５０内に記憶された状態を概念的に示した図である。ここでは、Ａ発電所における、「タンク」、「パイプ」、「バルブ」、「全体図」の図面のそれぞれが複数存在している様子が分かる。
【００４８】
これに対し、図７（ｂ）は、電子図面データ削除手段によって削除されたデータベース５０内の状態を概念的に示している。
「タンク」図面は、αβγという三種類の図面データがあり、このうちβが最新図面として残り、α及びγが削除された。「パイプ」図面は、α及びβという二種類の図面データがあり、このうち、αが最新図面として残り、βが削除された。「バルブ」図面は、αβγという三種類の図面データがあり、このうち、γが最新図面として残り、α及びβが削除された。「全体図」図面は、α及びβという二種類の図面データがあり、このうち、βが最新図面として残り、αが削除された。
【００４９】
すなわち、紙媒体で管理されていた原本図面は、差し替え等の更新管理などが正確にされていたかどうかは不明であり、また、複数箇所で原本管理を行っている場合等、同じ図面番号の原本図面が、複数存在する場合もある。このような場合でも、図面特定用データを用いて電子図面データが最新か否かの判別をし、古い電子図面データを削除していくことで、最新の電子図面データのみをデータベースに保管することができる。これにより、紙媒体の図面を効率よく整理し、一元化した正確な電子図面データによるデータベースを構築することができる。
【００５０】
なお、本実施形態の電子図面データを閲覧するための閲覧ソフトは、『まいらす太V5：株式会社 バスプラスワン社製』を使用した（閲覧専用プログラム）。（http://www.bpo.co.jp/mk/product/v5/raster/index.htm）
この『まいらす太V5』で読み込み可能なファイル形式は、BMP(非圧縮、RLE)、CAL、DCX、EPS、GIF、ICO、IFF、JPG、PCD、PCT、PCX、PSD、TGA、TIF(非圧縮、G3、G3-2D、G4、Huffman、JPEG、LZW、Packbits)、WMF、WPGなどである。また、保存可能なファイル形式は、BMP(非圧縮、RLE)、GIF、JPG、TIF(非圧縮、G3、G3-2D、G4、Huffman、JPEG、LZW、Packbits)である。
【００５１】
主要機能としては、A0サイズを超える大きな画像データでもすばやく表示、軽快に画像移動すること可能。ルーペ機能やパンウィンドウ機能を備える（移動機能）。
作図操作・作図機能として、文字・直線・四角形・多角形・円・楕円・矢印・フリーハンド図形の作図が可能。また、作図した図形は表示・非表示切替が可能。
印刷機能として、縮小印刷・部分印刷・拡大印刷・用紙サイズ自動あわせ印刷・連続印刷が可能。
測定機能として、四角形・多角形などで指定した範囲の面積測定、直線・ポリラインの距離測定が可能。
編集機能として、傾き補正、スケール調整、ゴミ取り、リサイズが可能。具体的には、2点指定の傾き補正、図面のスケール調整、ゴミ取り機能、コピー・切り取り・貼り付け。指定したファイルサイズや解像度にリサイズすることも可能。
【００５２】
また、本実施形態の電子図面データを検索するためのソフトには、『まいく郎V5 web V5：株式会社 バスプラスワン社製』を使用した（検索専用プログラム）。(http://www.bpo.co.jp/mk/product/v5/web/index.htm)
『まいく郎V5 web V5』は、登録機能として、離れた場所からファイル登録が可能。データ編集機能として、二重修正を防止することが可能。
検索機能として、キーワード検索、フォルダ情報検索などが可能。印刷機能として、小印刷・部分印刷・拡大印刷・用紙サイズ自動あわせ印刷・スケール印刷・連続印刷が可能。
【００５３】
『まいらす太V5』と『まいく郎V5 web V5』は相互に連動して動作する。つまり、ポータル的な機能は『まいらす太V5』が担当し、電子図面データの検索機能の主要部を『まいく郎V5 web V5』が担っている。
【００５４】
（第二実施形態）
図８は、本発明に係る図面データ管理装置１０の他の形態を示したフローチャートである。
第二実施形態においては、データベース５０とは物理的に離れた位置にある最新電子図面データ専用データベース（第二データベース）６０を備えている点、採用図面判別手段によって最新の原本図面であると判別された電子図面データを、最新電子図面データ専用データベース６０に記憶する点が前述した第一実施形態とは異なる。
【００５５】
すなわち、全ての原本図面を原本図面電子化手段がスキャンして読み取り、図面を電子データ化し（Ｓ２０１）、その電子化された図面は、電子図面データとして一旦データベース５０に記憶する。
原本図面が原本図面電子化手段によって電子化される際に、原本図面を管理・特定するための図面特定用データを抽出する（Ｓ２０２）。
原本図面電子化手段によって抽出された図面特定用データをデータベース５０に記憶する（Ｓ２０３）。
そして、採用図面判別手段がデータベース５０に記憶された図面特定用データを用いて最新の原本図面であるか否かを判別する（Ｓ２０４）。判別後、最新の電子図面データを最新電子図面データ専用データベース６０に記憶する（Ｓ２０５）。この最新電子図面データ専用データベース６０は、最新の電子図面データのみを記憶するための記憶媒体である。この最新電子図面データ専用データベース６０を、例えば、他の施設とネットワーク接続して共有データベース化すれば、最新の電子図面データを共有管理及び利用することができる。
一方、最新でないと判別された電子図面データは、電子図面データ削除手段によってデータベース５０から削除される（Ｓ２０６）。
【００５６】
全ての原本図面や図面特定用データが記憶されたデータベース５０とは物理的に別媒体となる最新電子図面データ専用データベース６０に、最新の電子図面データを記憶しているので、作業用データや図面特定データなどの他のデータが記憶されたデータベース５０とは分離されるため頓雑にならない。また、最新電子図面データ専用データベース６０は、データベース５０とは物理的に離れて構成しているので、データベース５０が故障した場合でもバックアップ用のデータベースとして機能させることができる。このように構成すれば、安全性及び可用性の点で好ましい。
【産業上の利用可能性】
【００５７】
本願発明は、図面データの管理装置メーカ、図面データ管理装置を保守整備するメンテナンス業界、図面データ管理装置のセキュリティ保全を行うシステム管理業などにおいて、利用できる。
【図面の簡単な説明】
【００５８】
【図１】図面データ管理装置の全体構成を示した概念図である。
【図２】図面データ管理装置のハードウェア構成を示したブロック図である。
【図３】原本図面を電子図面データ化するための処理を示したフローチャートである。
【図４】採用図面を決定するための処理を模式的に示した概略図である。
【図５】採用図面を決定するための処理を模式的に示した概略図である。
【図６】採用図面を決定するための処理を模式的に示した概略図である。
【図７】データベース内に記憶された複数の原本図面の状態を示した概略図である。
【図８】第二実施形態における原本図面を電子図面データ化するための処理を示したフローチャートである。
【符号の説明】
【００５９】
１０  図面データ管理装置
１１  ＣＰＵ                      １２  ＲＡＭ
１３  記憶部                      １４  入力部
１５  表示部                      １６  通信部
１７  出力部                      １８  入出力ポート
５０  データベース
６０  最新電子図面データ専用データベース
【図１】
2008097411.tif 000003
【図２】
2008097411.tif 000004
【図３】
2008097411.tif 000005
【図４】
2008097411.tif 000006
【図５】
2008097411.tif 000007
【図６】
2008097411.tif 000008
【図７】
2008097411.tif 000009
【図８】
2008097411.tif 000010